(57)【要約】【課題】持ち運びが容易で、使用場所の制限も少なく、カメラ機能を有する装置を容易に利用することができるスタンド装置を提供することを目的とする。【解決手段】スタンド装置１は、カメラ機能と該カメラ機能により映し出される映像の表示機能を有する装置８０を載置する載置台１０と、載置台１０を支持する支持機構２０を有するスタンド装置１であって、載置台１０は、カメラ機能を有する装置８０を設置したときに該カメラ機能を有する装置８０の有するカメラレンズ８１の位置と対応する位置に貫通するカメラ穴１３を設ける。【選択図】図１
2019142756.tif 000002
【特許請求の範囲】
【請求項１】
カメラ機能を有する装置を載置する載置台と、前記載置台を支持する支持機構を有するスタンド装置であって、
前記載置台は、カメラ穴を設けることを特徴とするスタンド装置。
【請求項２】
前記装置の前記載置台における位置を固定する第１の位置固定具を有することを特徴とする請求項１に記載のスタンド装置。
【請求項３】
前記カメラ穴は、前記載置台の隅部に設けられることを特徴とする請求項１または請求項２に記載のスタンド装置。
【請求項４】
前記支持機構は、前記載置台の裏面側に設けられ、前記載置台を支持する脚を有することを特徴とする請求項１乃至請求項３のうちいずれか一項に記載のスタンド装置。
【請求項５】
前記脚は、長さ調整可能とすることを特徴とする請求項４に記載のスタンド装置。
【請求項６】
前記脚は、所定の方向に延びる第１の棒状部材と第２の棒状部材を有するとともに、前記第２の棒状部材は、前記第１の棒状部材に対し前記第１の棒状部材の延びる方向に沿って可動可能とすることを特徴とする請求項５に記載のスタンド装置。
【請求項７】
前記脚は、前記載置台を支持する支持角度を調整可能とすることを特徴とする請求項５または請求項６に記載のスタンド装置。
【請求項８】
前記脚の基端を前記載置台の裏面側にヒンジを介して取り付けることを特徴とする請求項５乃至請求項７のうちいずれか一項に記載のスタンド装置。
【請求項９】
前記ヒンジは、トルクヒンジとすることを特徴とする請求項８に記載のスタンド装置。
【請求項１０】
前記脚は、前記載置台の裏面側に畳み込み可能とすることを特徴とする請求項５乃至請求項９のうちいずれか一項に記載のスタンド装置。
【請求項１１】
前記脚は、第１、第２、および第３の脚を有し、前記第１の脚、前記第２の脚は、矩形状をなす載置台の４つの辺部に沿って延びる４つの縁部のうち前記カメラ穴が設けられる前記隅部が位置する２つの縁部にそれぞれ設けられるとともに、前記第３の脚は、前記４つの縁部のうち他の２つの縁部のいずれか一方に設けられことを特徴とする請求項５乃至請求項１０のうちいずれか一項に記載のスタンド装置。
【請求項１２】
前記第１の脚、前記第２の脚は、前記カメラ穴が設けられる隅部との間隔を、前記隅部に隣り合う他の隅部との間隔よりも大きく設定されることを特徴とする請求項１１に記載のスタンド装置。
【請求項１３】
前記装置の撮像対象の位置を固定する第２の位置固定具を有することを特徴とする請求項１乃至請求項１３のうちいずれか一項に記載のスタンド装置。
【請求項１４】
前記第２の位置固定具は、前記カメラ穴の位置と対応する位置に欠け部を有することを特徴とする請求項１３に記載のスタンド装置。
【請求項１５】
前記第２の位置固定具は、前記脚の先端を嵌め込む穴を有することを特徴とする請求項１３または請求項１４に記載のスタンド装置。
【請求項１６】
前記第２の位置固定具は、端縁から外側に出没する出没部を設け、前記出没部は、先端に上方に延びる壁部を有することを特徴とする請求項１３乃至請求項１５のうちいずれか一項に記載のスタンド装置。
【請求項１７】
前記出没部は、スライド移動可能なスライド移動部を有し、前記壁部を、前記スライド移動部の先端に設けることを特徴とする請求項１６に記載のスタンド装置。
【請求項１８】
前記第２の位置固定具は、前記第２の位置固定具の裏面側に前記第２の位置固定具を移動可能とする移動具を有することを特徴とする請求項１３乃至請求項１７のうちいずれか一項に記載のスタンド装置。
【請求項１９】
前記移動具は、床面に接触して回転可能な球状のボールと、凹状をなし前記凹状の穴内に前記ボールを回転可能に保持するホルダーと、を有するボールキャスターとすることを特徴とする請求項１８に記載のスタンド装置。
【請求項２０】
前記移動具は、前記穴の位置と対応する水平方向の位置とし、前記第２の位置固定具に設けられた穴の底部の裏面側に設けられることを特徴とする請求項１８または請求項１９に記載のスタンド装置。
【請求項２１】
前記第２の位置固定具は、前記載置台の表面側における凹状の空間内に収納可能な寸法に設定されることを特徴とする請求項１３乃至請求項２０のうちいずれか一項に記載のスタンド装置。
【請求項２２】
板状に延びる第１の延出部と、前記第１の延出部と交差する方向に板状に延びる第２の延出部とを備えるＬ字状の器具を有し、前記器具を前記第２の位置固定具の表面側に置いた状態で、前記カメラ機能を有する装置の下端を前記第２の位置固定具の表面側で支持するとともに、前記カメラ機能を有する装置の裏面側を前記Ｌ字状の器具の第２の延出部の上端で支持し、前記カメラ機能を有する装置を傾斜させることを特徴とする請求項１乃至請求項２１のうちいずれか一項に記載のスタンド装置。
【請求項２３】
前記カメラ機能を有する装置は、カメラ機能を有する携帯端末装置とすることを特徴とする請求項１乃至請求項２２のうちいずれか一項に記載のスタンド装置。
【請求項２４】
前記携帯端末装置は、携帯電話機、タブレット端末、またはスマートフォンとするとともに、裏面側にカメラレンズを有し、表面側に撮像対象を映し出す表示部を有することを特徴とする請求項２３に記載のスタンド装置。
【発明の詳細な説明】
【技術分野】
【０００１】
本発明は、スタンド装置に関し、特にカメラ機能を有する装置を載置する載置台と、前記載置台を支持する支持機構を有するスタンド装置に関する。
【背景技術】
【０００２】
従来から、視力が低下した高齢者やその他の視力弱者が小さな文字を読みやすくするための種々の装置が提供され、また、装置に関する提案がなされている。【０００３】
例えば、特許文献１には、テーブル等に一端を固定可能としたフリーアームを有する板状の受け部材の上面に液晶ディスプレイを取り付け、該受け部材の下面にＣＣＤカメラを固定し、ＣＣＤカメラで撮像したテーブル上の表面を液晶ディスプレイに拡大表示しつつ、フリーアームを備えた受け部材をテーブルに対して移動させることにより、撮像範囲を変化させることができる拡大装置が開示されている。
【先行技術文献】
【特許文献】
【０００４】
【特許文献１】特開２００４−０５６２１５号公報
【発明の概要】
【発明が解決しようとする課題】
【０００５】
しかしながら、上述した拡大装置にあっては、固定された場所で使用するのは便利であるものの、装置が大掛かりとなってしまい、持ち運びの際に不便をきたす等、使用場所に制限を受けることがあった。【０００６】
本発明は、このような事情に鑑みてなされたものであり、持ち運びが容易で、使用場所の制限も少なく、カメラ機能を有する装置を容易に利用することができるスタンド装置を提供することを目的とする。
【課題を解決するための手段】
【０００７】
上記目的を達成するために、本発明に係るスタンド装置は、カメラ機能を有する装置を載置する載置台と、前記載置台を支持する支持機構を有するスタンド装置であって、前記載置台は、カメラ穴を設けることを特徴とする。【０００８】
本発明によれば、前記載置台は、カメラ穴を設けることとしたので、カメラ機能を有する装置のカメラレンズの位置をカメラ穴の位置に合わせる等して前記装置を載置台に設置することにより、カメラ機能を有する装置を別体としながら、該装置と合わせて全体を拡大装置として使用することが可能となる。これにより、持ち運びが容易で、使用場所の制限も少なく、カメラ機能を有する装置を容易に利用することができるスタンド装置を提供することができる。【０００９】
前記装置の前記載置台における位置を固定する第１の位置固定具を有することとすれば、カメラ機能を有する装置を載置台に安定して載置することができる。【００１０】
前記カメラ穴は、例えば、前記載置台の隅部に設けられることとすることができる。【００１１】
前記支持機構は、前記載置台の裏面側に設けられ、前記載置台を支持する脚を有することとすることができる。【００１２】
前記脚は、長さ調整可能とすることとすれば、載置台の高さ位置を調整することが可能となる。【００１３】
前記脚は、所定の方向に延びる第１の棒状部材と第２の棒状部材を有するとともに、前記第２の棒状部材は、前記第１の棒状部材に対し前記第１の棒状部材の延びる方向に沿って可動可能とすることとすれば、脚の長さを容易に調整することができる。【００１４】
前記脚は、前記載置台を支持する支持角度を調整可能とすることとすれば、載置台を任意の傾斜角度で傾斜させることが可能となる。
前記脚の基端を前記載置台の裏面側にヒンジを介して取り付けることとすることができる。
前記ヒンジは、トルクヒンジとすることとすれば、脚の載置台を支持する支持角度を任意に調整することが可能となる。【００１５】
前記脚は、前記載置台の裏面側に畳み込み可能とすることとすれば、脚を載置台にコンパクトに収納することができる。
前記脚は、第１、第２、および第３の脚を有し、前記第１の脚、前記第２の脚は、矩形状をなす前記載置台の４つの辺部に沿って延びる４つの縁部のうち前記カメラ穴が設けられる前記隅部が位置する２つの縁部にそれぞれ設けられるとともに、前記第３の脚は、前記４つの縁部のうち他の２つの縁部のいずれか一方に設けられることとすれば、脚を３本とする場合にあっても、矩形状の載置台をバランスよく安定して支持することができる。【００１６】
前記第１の脚、前記第２の脚は、前記カメラ穴が設けられる隅部との間隔を、前記隅部に隣り合う他の隅部との間隔よりも大きく設定されることとすれば、第１の脚および第２の脚をカメラ穴が設けられる隅部から離間させることができ、カメラ穴から撮像対象を映し出す際に脚が障害となることを少なくすることができる。【００１７】
前記装置の撮像対象の位置を固定する第２の位置固定具を有することとすれば、撮像対象の位置を容易に固定することができる。【００１８】
前記第２の位置固定具は、前記カメラ穴の位置と対応する位置に欠け部を有することとすれば、撮像対象を欠け部により固定しつつ、カメラ機能を有する装置により撮像対象を安定して映し出すことができる。【００１９】
前記第２の位置固定具は、前記脚の先端を嵌め込む穴を有することとすれば、脚の先端の位置が確実に固定され、脚により載置台を更に安定して支持することができる。また、第２の位置固定具が、撮影対象と脚のいずれも固定するので部品点数が増えることも防止することができる。
前記第２の位置固定具は、端縁から外側に出没する出没部を設け、前記出没部は、先端に上方に延びる壁部を有することとすれば、例えば一の脚のみを立脚させて他の脚を載置台の裏面側に畳み込み、一の脚の先端を壁部に当てることにより、載置台を傾斜させることができる。【００２０】
前記出没部は、スライド移動可能なスライド移動部を有し、壁部を、スライド移動部の先端に設けることとすることができる。【００２１】
前記第２の位置固定具は、前記第２の位置固定具の裏面側に前記第２の位置固定具を移動可能とする移動具を有することとすれば、第２の位置固定具を移動させることができる。【００２２】
前記移動具は、床面に接触して回転可能な球状のボールと、凹状をなし前記凹状の穴内に前記ボールを回転可能に保持するホルダーと、を有するボールキャスターとすることができる。
前記移動具は、前記穴の位置と対応する位置とし、前記第２の位置固定具に設けられた穴の底部の裏面側に設けられることとすれば、第２の位置固定具をバランスよく移動させることができる。【００２３】
前記第２の位置固定具は、前記載置台の表面側における凹状の空間内に収納可能な寸法に設定されることとすれば、第２の位置固定具を載置台の表面側にコンパクトに収納することができる。【００２４】
板状に延びる第１の延出部と、前記第１の延出部と交差する方向に板状に延びる第２の延出部とを備えるＬ字状の器具を有し、前記器具を前記第２の位置固定具の表面側に置いた状態で、前記カメラ機能を有する装置の下端を前記第２の位置固定具の表面側で支持するとともに、前記カメラ機能を有する装置の裏面側を前記Ｌ字状の器具の第２の延出部の上端で支持し、前記カメラ機能を有する装置を傾斜させることとすれば、載置台を介さずともカメラ機能を有する装置を簡易に支持することができる。【００２５】
前記カメラ機能を有する装置は、カメラ機能を有する携帯端末装置とすることとすれば、載置台に載置されるカメラ機能を有する装置がコンパクトなり、これに対応してスタンド装置もコンパクト化を図ることができ、更に一層持ち運びが容易で、使用場所の制限の少ないスタンド装置を提供することができる。【００２６】
前記携帯端末装置は、携帯電話機、タブレット端末、またはスマートフォンとするとともに、裏面側にカメラレンズを有し、表面側に撮像対象を映し出す表示部を有することとすることができる。
【発明の効果】
【００２７】
本発明によれば、持ち運びが容易で、使用場所の制限も少なく、カメラ機能を有する装置を容易に利用することができる。
【図面の簡単な説明】
【００２８】
【図１】本発明の実施形態に係るスタンド装置の全体構成を示す斜視図である。
【図２】同スタンド装置に載置されるカメラ機能を有する装置の構成を示す図で、（ａ）は表面側の平面図、（ｂ）は裏面側の平面図である。
【図３】同スタンド装置の載置台の構成を示す図で、（ａ）は表面側の平面図、（ｂ）は（ａ）のＡＡ断面図、（ｃ）は（ａ）のＢＢ断面図である。
【図４】同載置台の表面側に設けられる第１の位置固定具の構成を示す図で、（ａ）は平面図、（ｂ）は右側から見た側面図、（ｃ）は正面図である。
【図５】同第１の位置固定具の構成を示す図で、（ａ）は支持板の構成を示す平面図、（ｂ）は（ａ）のＡＡ断面図、（ｃ）は支持板を右側から見た側面図、（ｄ）は棒材の構成を示す平面図である。
【図６】脚を畳み込んだ状態における載置台の裏面側の構成を示す平面図である。
【図７】同脚を立脚し横置きとした状態を示す正面図である。
【図８】同脚の長さの調整方法を示す図で、（ａ）は第２の棒状部材が第１の棒状部材から出没する前の状態を示す正面図、（ｂ）は同第２の棒状部材が第１の棒状部材から出没した後の状態を示す正面図である。
【図９】同脚により載置台を傾斜させた状態を示す側面図である。
【図１０】第２の位置固定具の構成を示す図で、（ａ）は出没部が突出する前の状態を示す平面図、（ｂ）は出没部が突出した後の状態を示す平面図である。
【図１１】同第１の位置固定具における固定部の構成を示す図で、（ａ）は平面図、（ｂ）は右側から見た側面図、（ｃ）は正面図、（ｄ）は（ａ）のＡＡ断面図、（ｅ）は（ａ）のＢＢ断面図である。
【図１２】出没部の構成を示す図で、（ａ）は出没部の全体の構成を示す平面図、（ｂ）は出没部の全体の構成を示す左側から見た側面図、（ｃ）はスライド移動部の構成を示す平面図、（ｄ）はスライド移動部の構成を示す正面図、（ｅ）は壁部の構成を示す平面図、（ｆ）は壁部の構成を示す右側から見た側面図、（ｇ）は突出体の構成を示す平面図、（ｈ）は突出体の構成を示す正面図である。
【図１３】同固定部の裏面側の構成を示す平面図である。
【図１４】第２の位置固定具の裏面側において出没部のスライド移動が閉塞板により規制された状態を示す平面図である。
【図１５】同第２の位置固定具および載置台を横置きとして載置台を傾斜させた状態を示す右側から見た側面図である。
【図１６】同第２の位置固定具および載置台を横置きとして載置台を傾斜させた状態を示す正面図である。
【図１７】同第２の位置固定具および載置台を縦置きとして載置台を傾斜させた状態を示す右側から見た側面図である。
【図１８】同第２の位置固定具および載置台を縦置きとして載置台を傾斜させた状態を示す右側から見た正面図である。
【図１９】載置台の表面側に第１の位置固定具および第２の位置固定具を収納した状態を示す平面図である。
【図２０】本発明の変形例に係るスタンド装置の脚の構成を示す図で、（ａ）は、第１の棒状部材乃至第３の棒状部材による長さ調整前の状態を示す正面図、（ｂ）は、第２の棒状部材および第３の棒状部材を第１の棒状部材に対し可動させた状態を示す正面図、（ｃ）は、第３の棒状部材を第２の棒状部材に対し可動させた状態を示す正面図である。
【図２１】同第２の棒状部材および第３の棒状部材の固定方法を説明するための図で、（ａ）は、棒状部材の位置を固定する前の状態を示す平面断面図、（ｂ）は、棒状部材を円周方向に回転させて相互に圧接し位置を固定した状態を示す平面断面図である。
【図２２】本発明の別の変形例に係るスタンド装置のヒンジの構成を示す正面図である。
【図２３】本発明の更に別の変形例に係るスタンド装置の第２の位置固定具の構成を示す側面図である。
【図２４】同第２の位置固定具の穴部および移動具の構成を拡大して示す拡大側面断面図である。
【図２５】同第２の位置固定具における移動具の位置を示す底面図である。
【図２６】同第２の位置固定具に対する移動具の装着方法を示す底面図である。
【図２７】同第２の位置固定具に対する移動具の装着方法を示す側面図である。
【図２８】本発明のまた更に別の変形例に係るスタンド装置の第２の位置固定部の構成を示す底面図である。
【図２９】本発明の他の変形例に係るスタンド装置の第１の位置固定部の構成を示す図で、（ａ）は平面図、（ｂ）は（ａ）のＡＡ断面図、（ｃ）は側面図、（ｄ）は棒材の構成を示す正面図である。
【図３０】本発明の更に他の変形例に係るスタンド装置のＬ字状の器具の構成を示す図で、（ａ）は平面図、（ｂ）は側面図、（ｃ）は正面図、（ｄ）は底面図である。
【図３１】同Ｌ字状の器具の使用方法を説明するための側面図である。
【図３２】同Ｌ字状の器具の第２の位置固定具に対する装着方法を説明するための平面図である。
【図３３】同Ｌ字状の器具の第２の位置固定具に対する装着方法を説明するための他の平面図である。
【図３４】本発明の他の実施形態におけるスタンド装置の構成を示す正面図である。
【図３５】同スタンド装置の左側から見た状態を示す側面図である。
【図３６】同スタンド装置の後方から見た状態を示す図である。
【発明を実施するための形態】
【００２９】
以下、本発明の実施形態について図面を参照して詳細に説明する。図１は、本発明の実施形態に係るスタンド装置の全体構成を示す斜視図である。なお、以下の説明においては、矩形状より詳しくは長方形状の載置台１０および第２の位置固定部具４０を左右に横長に置いた状態を横置き、前後に縦長に置いた状態を縦置きとするものとする。また、図１に示すように、主に横置きの場合において、スタンド装置１の載置台１０の短尺な辺部１５´，１７´に沿った方向であって手前側を前方、その反対側であってカメラ穴１３が設けられる側若しくは第２の位置固定具４０の出没部６０が突出する方向を後方、載置台１０の長尺な辺部１４´，１６´に沿った方向を左右方向、前後左右方向に対し垂直な方向であって図１において支持機構３０の脚３１，３２，３３が立脚する方向を上下方向（高さ方向）とするものとする（横置きは、図１、図３、図６、図７、図９、図１０、図１１、図１３、図１４、図１５、図１６、図１９とし、縦置きは、図１７、図１８とする）。
【００３０】
図１を参照してスタンド装置１の概要を説明すると、スタンド装置１は、載置台１０と、第１の位置固定具２０と、支持機構３０と、第２の位置固定具４０と、を有しており、載置台１０は、カメラ機能と該カメラ機能により映し出される映像の表示機能を有する装置８０を載置し、第１の位置固定具２０は、装置８０の載置台１０の表面側における位置を固定し、支持機構３０は、載置台１０を支持し、第２の位置固定具４０は、載置台１０や紙面等の撮像対象９０の位置を固定することができる。
【００３１】
なお、本実施形態においては、カメラ機能と該カメラ機能により写し出される映像の表示機能を有する装置８０は、カメラ機能を有する携帯端末装置とし、更に携帯端末装置は、携帯電話機、タブレット端末、またはスマートフォンとすることができる（以下、カメラ機能を有する装置８０は、携帯端末装置８０とする場合がある）。図２に示すように、携帯端末装置８０は、矩形状より詳しくは長方形状をなし、平面で見たときに裏面側の後部の左側の隅部にカメラレンズ８１を有し、表面側に撮像対象を映し出す表示部８２を有している。携帯端末装置８０の有するカメラ機能は、撮像対象を拡大して表示部８２に表示することができる。
【００３２】
載置台１０は、図１および図３に示すように、表面側が凹状に形成され、底部を平坦面１１とし、載置台１０の外周端は、上方に突出する突出部１２を設けた枠状としている。載置台１０は、表面側の平坦面１１と突出部１２により囲まれた空間内に携帯端末装置８０を載置することができる。載置台１０は、携帯端末装置８０を載置したときに該携帯端末装置８０の裏面側のカメラレンズ８１の位置と対応する位置に貫通するカメラ穴１３を設けている。載置台１０は、矩形状より詳しくは横長の長方形状とし、カメラ穴１３は、載置台１０の４つの隅部１４，１５，１６，１７のうち一の隅部１４つまり後部の左側の隅部１４に設けられている。携帯端末装置８０は、後部の左側の角部を載置台１０の後部の左側の角部に合わせるように固定することで、裏面側のカメラレンズ８１の位置を載置台１０の隅部１４の位置つまりカメラ穴１３の位置に合わせるように載置することができる。これにより、携帯端末装置８０は、カメラ穴１３を介して載置台１０の下方側を撮影することができる。
【００３３】
第１の位置固定具２０は、図１、図４、および図５に示すように、平面で見た全体がＬ字状をなした棒状としており、支持板２１と棒材２４，２５，２６からなる。
支持板２１は、板材を屈曲させて断面形状をＬ字状とするとともに、平面で見た全体もＬ字状に形成されている。つまり、支持板２１は、左右方向に延びる第１の延在部２２と、第１の延在部２２に対し直交する方向であって前後方向に延びる第２の延在部２３を有し、それぞれの延在部２２，２３は、水平部２２ａ，２３ａと垂直部２２ｂ，２３ｂに囲まれた内側の空間に第１の棒材２４、第２の棒材２５、第３の棒材２６を設けている。第２の延在部２３の垂直部２３ｂの中間部分には孔より詳しくは長孔２３´が設けられている。
【００３４】
第１の棒材２４は、長尺に形成されており、第１の延在部２２の内側の空間に設けられている。また、第２の棒材２５および第３の棒材２６は、第２の延在部２３の内側の空間において相互に一定の間隔を置いて離間するように離間部２７を介して設けられている。この離間部２７は、支持板２１に設けられた長孔２３´と対応する位置に設けられている。
【００３５】
この第１の位置固定具２０の裏面側と載置台１０の表面側は、いずれか一方に磁石を備え、いずれか他方を該磁石と引き合う金属製の材料を含んで形成し、相互に磁力により引き合うように構成されている。本実施形態にあっては、第１の位置固定具２０の裏面側に磁石を備え、載置台１０の表面側に磁石と引き合う金属製の材料を含むこととしている。これにより、携帯端末装置８０のカメラレンズ８１の位置を載置台１０のカメラ穴１３の位置に合わせた状態で、携帯端末装置８０を横置きしたときの右側の端縁（携帯端末装置８０を縦置きしたときの下側の端縁）と前側の端縁（携帯端末装置８０を縦置きしたときの左側の端縁）を第１の位置固定具２０の内側（より詳しくは棒材２４，２５，２６の内側）により抑えて、携帯端末装置８０の載置台１０の表面側における位置を固定することができる。
【００３６】
また、携帯端末装置８０から延びる充電用のコード８３等を離間部２７および長孔２３´を介して外部に引き出すことができ、スタンド装置１に携帯端末装置８０を載置しながら充電することが可能となっている。更に、離間部２７の位置は、各種の携帯端末装置８０のスピーカー部の位置とも対応した位置に設けられており、第１の位置固定具２０を使用する場合にあっても携帯端末装置８０から発せられる音がこもる等の障害も少なくすることができる。なお、第１の位置固定具２０は、Ｌ字状の両端の裏面側がテーパ面となっている。
【００３７】
支持機構３０は、図１に示すように、載置台１０の裏面側に設けられ、載置台１０を支持する長尺な３本の脚、すなわち第１の脚３１、第２の脚３２、第３の脚３３を有している。第１の脚３１、第２の脚３２、および第３の脚３３は、図６および図７に示すように、載置台１０の裏面側の縁部（周縁部）に設けられている（なお、本実施形態において縁部とは、載置台１０の辺部１４´，１５´，１６´，１７´から内側に所定の幅をもって帯状に延びる領域をいう）。
【００３８】
すなわち、第１の脚３１、第２の脚３２は、その基端３１´，３２´を、裏面側の縁部１４ａ´，１７ａ´に設けている。縁部１４ａ´，１７ａ´は、載置台１０の裏面側の４つの辺部１４´，１５´，１６´，１７´（辺部１４´，１６´は長尺な辺部、辺部１５´，１７´は、短尺な辺部となる）に沿って延びる縁部１４ａ´，１５ａ´，１６ａ´，１７ａ´のうちの２つの縁部であり、これら２つの縁部１４ａ´，１７ａ´が結合する端部にカメラ穴１３が設けられる隅部１４が位置する（第１の脚３１は、載置台１０の裏面側の後側の縁部１４ａ´に設けられ、第２の脚３２は、裏面側から見て右側の縁部１７ａ´に設けられている）。
【００３９】
第１の脚３１、第２の脚３２は、カメラ穴１３が設けられる隅部１４と基端３１´，３２´の間隔を、この隅部１４に隣り合う他の隅部１５，１７との間隔よりも大きく設定されており、それぞれ隅部１４よりも隅部１５，１７と相対的に近い位置に設けられている。
【００４０】
第３の脚３３は、その基端３３´を、裏面側の縁部１４ａ´，１５ａ´，１６ａ´，１７ａ´のうち他の２つの縁部１５ａ´，１６ａ´のいずれか一方に設けられ、本実施形態にあっては、縁部１６ａ´に設けられている（第３の脚３３は、載置台１０の前側の縁部１６ａ´に設けられている）。
【００４１】
更に詳しくは、第３の脚３３は、その基端３３´を、縁部１６ａ´の両端の隅部１６，１７のうち隅部１４の直下の位置にある隅部１７との間隔を、隅部１４と対角の位置にある隅部１６との間隔よりも大きく設定されており、隅部１６の近傍に設けられている。つまり。第３の脚３３の基端３３´は、カメラ穴１３と対角の位置に設けられている。
このように脚３１，３２，３３を設けることで、３本の脚で載置台１０を支持する場合にあっても比較的不安定とならず載置台１０の安定した支持状態を確保することができる。
また、載置台１０の左側の後方であってカメラ穴１３の下方には、脚３１，３２，３３が障害となることの少ない相対的に広いスペースを確保することができ、撮像対象を置いたり、書きものをする等、利用者の作業性を向上させることができる。
【００４２】
ここで、図８に示すように、脚３１，３２，３３は、長さ調整可能となっており、伸縮可能に形成されている。
【００４３】
すなわち、脚３１，３２，３３は、所定の方向に延びる第１の棒状部材３１ａ，３２ａ，３３ａと第２の棒状部材３１ｂ，３２ｂ，３３ｂを有している。そして、第１の棒状部材３１ａ，３２ａ，３３ａは、筒状で中空状とし、第２の棒状部材３１ｂ，３２ｂ，３３ｂは、第１の棒状部材３１ａ，３２ａ，３３ａの中空部に収納され、該中空部から第１の棒状部材３１ａ，３２ａ，３３ａの内面側に案内されつつ第１の棒状部材３１ａ，３２ａ，３３ａの延びる方向に沿って出没可能に構成されている。つまり、第２の棒状部材３１ｂ，３２ｂ，３３ｂは、第１の棒状部材３１ａ，３２ａ，３３ａに対し第１の棒状部材３１ａ，３２ａ，３３ａ，の延びる方向に沿って可動可能となっている。
【００４４】
支持機構３０は、位置固定機構を有しており、位置固定機構は、図８（ｂ）に示すように、第１の棒状部材３１ａ，３２ａ，３３ａからの第２の棒状部材３１ｂ，３２ｂ，３３ｂの突出量が最大となったときに、第１の棒状部材３１ａ，３２ａ，３３ａの先端側で第２の棒状部材３１ｂ，３２ｂ，３３ｂの基端側を固定することができる。
【００４５】
なお、第１の棒状部材３１ａ，３２ａ，３３ａの先端には、弾性材３１ａ´，３２ａ´，３３ａ´が設けられている。弾性材３１ａ´，３２ａ´，３３ａ´は、樹脂材料またはゴム材料で形成されており、穴部３１ａ´´，３２ａ´´，３３ａ´´を有している。穴部３１ａ´´，３２ａ´´，３３ａ´´は、第１の棒状部材３１ａ，３２ａ，３３ａの中空部と連通し第１の棒状部材３１ａ，３２ａ，３３ａの長手方向に貫通しており、第２の棒状部材３１ｂ，３２ｂ，３３ｂは、穴部３１ａ´´，３２ａ´´，３３ａ´´を介して出没可能となっている。
【００４６】
また、第２の棒状部材３１ｂ，３２ｂ，３３ｂの先端にも弾性材３１ｂ´，３２ｂ´，３３ｂ´が設けられており、スタンド装置１を使用する際に床面等を損傷することを防止することができる。
【００４７】
更に、脚３１，３２，３３は、載置台１０を支持する支持角度を調整可能に形成されている。すなわち、脚３１，３２，３３の基端３１´，３２´，３３´は、載置台１０の裏面側にヒンジ３４より詳しくはトルクヒンジ３４を介して設けられている。
【００４８】
つまり、脚３１，３２，３３の基端３１´，３２´，３３´は、載置台１０の裏面側により軸支されており、該軸支された脚３１，３２，３３の基端３１´，３２´，３３´を起点として脚３１，３２，３３を回動させることにより、載置台１０の裏面側とのなす角度を調整可能とすることができる。
【００４９】
このため、図６に示すように、全ての脚３１，３２，３３を、載置台１０の裏面側と平行となるように畳み込んでコンパクトに収納したり、図１および図７に示すように、全ての脚３１，３２，３３を同じ長さで立脚し載置台１０を所定の高さ位置で水平な状態としたり、更には、図９に示すように、後側の縁部１４ａ´に設けられる第１の脚３１のみを立脚して他の第２の脚３２，第３の脚３３を裏面側に畳み込み載置台１０を傾斜させることもできる。
【００５０】
なお、脚３１，３２，３３の基端３１´，３２´，３３´の載置台１０の裏面側に設けるトルクヒンジ３４の構成をより詳しく説明すると次のようになる。
すなわち、該トルクヒンジ３４は、脚３１,３２，３３を軸支する軸体３４ａと軸受け３４ｂを有している。
【００５１】
より詳しくは、脚３１，３２，３３は、第１の棒状部材３１ａ，３２ａ，３３ａの基端３１´，３２´，３３´に軸体３４ａを設け、載置台１０は、裏面側に軸受け３４ｂを設け、軸体３４ａは、軸受け３４ｂに所定のトルクを要して回動するように軸支されている。そして、軸体３４ａは、脚３１，３２，３３と交差する方向より詳しくは直交する方向更に詳しくは載置台１０の外周の辺部１４´，１６´，１７´と平行な方向に延びている。これにより、脚３１，３２，３３の回動軸を辺部１４´，１６´，１７´と平行な軸とすることができるとともに、脚３１，３２，３３の載置台１０を支持する支持角度（回動角度）を任意に調整することができ、載置台１０の傾斜角度を任意に設定することができる。
【００５２】
第２の位置固定具４０は、図１０、図１１、および図１２に示すように、固定部５０および出没部６０を有している。
固定部５０は、Ｌ字状に形成されている。より詳しくは、固定部５０は、所定の厚みのある矩形状より詳しくは横長の長方形状の板材料等を用いて形成されるとともに、載置台１０のカメラ穴１３の位置と対応する位置（図１０および図１１の後部の左側）に矩形状より詳しくは横長の長方形状に欠損した欠け部５１を設けている。つまり、欠け部５１は、端縁がＬ字状をなし載置台１０のカメラ穴１３の下方側に形成される相対的に広いスペース側に設けられる。
また、固定部５０は、穴５２，５３，５４を有しており、穴部５２は、突出している右側の後部の縁部の中央部に、穴部５３は、欠け部５１を有する左側の後部の隅部に、および穴部５４は、右側の前部の隅部にそれぞれに設けられている。すなわち、穴部５２，５３，５４は、載置台１０の裏面側における脚３１，３２，３３の基端３１´，３２´，３３´の設置位置と対応する位置に設けられており、脚３１，３２，３３の先端を嵌め込むことができる（つまり、穴部５２，５３，５４は、脚３１，３２，３３を載置台１０に対し垂直方向の下方側に延ばしたときの脚３１，３２，３３の先端位置に対応する位置に設けられている）。
【００５３】
このように第２の位置固定具４０を構成することで、図１に示すように、載置台１０および第２の位置固定部４０をいずれも横置きとし、脚３１，３２，３３をいずれも同じ長さに設定しつつ、載置台１０の支持角度を９０°すなわち垂直として、その先端を穴部５２，５３，５４に嵌め込む。これにより、脚３１，３２，３３の先端の位置が確実に固定され、３本の脚３１，３２，３３により載置台１０を支持する場合にあっても載置台１０の更に安定した支持状態を確保することができる。また、同じく図１に示すように、矩形状をなすことの多い紙面等の撮像対象の位置を矩形状に欠損した欠け部５１により容易に固定することができる。
【００５４】
なお、本実施形態においては、脚３１，３２，３３の第２の棒状部材３１ｂ，３２ｂ，３３ｂの突出量をいずれも最大として脚３１，３２，３３の長さを最大に設定した状態で、第２の位置固定具４０の穴部５２，５３，５４により脚３１，３２，３３の先端を固定して載置台１０を水平な状態としつつ、第２の位置固定具４０の欠け部５１にＡ４用紙を縦に固定したとき、該Ａ４用紙の全体が多くの携帯端末装置８０により撮影可能なように、載置台１０のカメラ穴１３の位置および口径、脚３１，３２，３３の位置および長さ、第２の位置固定具４０の穴部５２，５３，５４の位置、欠け部５１の位置および寸法が設定されている。
【００５５】
ここで、出没部６０は、固定部５０の後部の端縁５５から外側つまり後方にスライド移動することができる。
すなわち、出没部６０は、固定部５０において矩形状の板材から矩形状の欠け部５１を形成する際にその一部が欠損した後部の端縁５５および左側の端縁５６の少なくともいずれか一方に設けられる。本実施形態にあっては、出没部６０は、後部の端縁５５に設けることとしている。
【００５６】
この出没部６０は、図１２に示すように、側面から見て全体がＬ字状に形成されている。そして、出没部６０は、先端に壁部６２を有し、壁部６２は、上方かつ垂直方向に延びている。
すなわち、出没部６０は、スライド移動可能なスライド移動部６１を有し、壁部６２をスライド移動部６１の先端に設けている。
【００５７】
スライド移動部６１および壁部６２は、いずれも平板を屈曲させてＬ字状に形成されており、水平部６１ａ，６２ａと垂直部６１ｂ，６２ｂからなる。
すなわち、出没部６０は、スライド移動部６１の先端を壁部６２の垂直部６２ｂに突き当てた状態で、スライド移動部６１の水平部６１ａの下面６１ａ´側の先端側に壁部６２の水平部６２ａの上面６２ａ´側を固着して形成される。なお、出没部６０は、スライド移動部６１の水平部６１ａの下面６１ａ´側の前端側に下方に突出する突出部６３を設けている。
【００５８】
図１１（図１１（ｅ））に戻り、固定部５０は、出没部６０のスライド移動部６１の形状に対応した形状より詳しくは断面Ｌ字状の凹溝５７を有しており、上記したスライド移動部５１は、凹溝５７内においてスライド移動可能となっている。
【００５９】
すなわち、図１３に示すように、凹溝５７は、固定部５０の裏面側に開口するように設けられている。そして、固定部５０の裏面側には、凹溝５７の下方に開放する開口を閉塞させる閉塞板５８が設けられており、閉塞板５８と凹溝５７との間に形成される空間内において、スライド移動部６１が下方に抜け出ることを防止しながらスライド移動可能な構成となっている。
【００６０】
この閉塞板５８は、凹溝５７における出没部６０のスライド移動方向の長さよりも短い長さに設定されている。また、閉塞板５８は、凹溝５７の後部側のみを閉塞し、凹溝５７の前部側は、閉塞板５８に閉塞されない非閉塞状態となっている。これにより、図１４に示すように、出没部６０が後方にスライド移動し突出したときに、スライド移動部６１の下面６１ａ´側の突出部６３が閉塞板５８の前端部５８´に突き当る。よって、出没部６０の更なる後方へのスライド移動を阻止することができ、出没部６０が固定部５０の凹溝５７から後方に抜け出ることを防止することができる。
【００６１】
更に、固定部５０は、相対的に長尺な前部の辺部５９ａ（前部の端縁）および表面側から見て右側の相対的に短尺な辺部５９ｂ（右側の端縁）に上方に突出する板状の突出体５９ａ´，５９ｂ´を設けている。突出体５９ａ´，５９ｂ´は、欠け部５１の形成により欠損の生じない辺部（端縁）つまり前側の辺部５９ａおよび右側の辺部５９ｂに設けられる。
【００６２】
すなわち、図１５および図１６に示すように、載置台１０および第２の位置固定具４０を横置きとしてカメラ穴１３を後部の左側に位置させ、出没部６０を後方にスライド移動させ突出させた状態として、第１の脚３１のみを立脚しつつ、第１の脚３１の先端を出没部６０の壁部６２に突き当てる（第２の位置固定具４０の欠け部５１も後部の左側に位置する）。つまり、壁部６２は、第１の脚３１の先端が突き当たる突き当て板として機能し、脚３１，３２，３３の後方への移動を規制する。そして、他の脚３２，３３を載置台１０の裏面側に畳み込み、載置台１０を傾斜させた状態とするとともに、載置台１０の前端つまり下端を固定部５０の突出体５９ａ´に当てた状態とし、載置台１０の前方への移動を規制する。これにより、横置きにおいて載置台１０を適切な傾斜角度に固定することができ、携帯端末装置８０の表示部８２を視認し易い適切な傾斜角度に設定することができる（出没部６０を突出させずに第１の脚３１の先端を穴部５２に差し込んで傾斜させた場合は、傾斜角度が大きくなり過ぎて携帯端末装置８０の表示部８２が視認し辛い場合がある）。この横置きにおいては、カメラ穴１３および欠け部５１が左側にあり、カメラ穴１３の下方には、脚３１，３２，３３が障害となることの少ない相対的に広いスペースが確保されるため、紙面等を左側に置いて操作する等、左利きの利用者にとって便利な配置とすることができる（図１および図７に示すように、全ての脚３１，３２，３３を立脚させて載置台１０を水平状態とした場合にあっても、横置きは、左利きの利用者にとって便利な配置となることは勿論である）。
【００６３】
また、図１７および図１８に示すように、横置きの載置台１０および第２の位置固定具４０を時計回りに９０°回転させ縦置きとすることもできる。すなわち、カメラ穴１３を後部の右側に位置させ、第２の脚３２のみを立脚しつつ、第２の脚３２の先端を穴部５３に差し込む（第２の位置固定具４０の欠け部５１も後部の右側に位置する）。そして、他の脚３１，３２を載置台１０の裏面側に畳み込み、載置台１０を傾斜させた状態とするとともに、載置台１０の前端つまり下端を固定部５０の突出体５９ｂ´に当てた状態とする。
【００６４】
これにより、縦置きにおいても載置台１０を適切な傾斜角度に固定することができ、携帯端末装置８０の表示部８２を視認し易い適切な傾斜角度に設定することができる。この縦置きにおいては、カメラ穴１３および欠け部５１が右側にあり、カメラ穴１３の下方には、脚３１，３２，３３が障害となることの少ない相対的に広いスペースが確保されるため、紙面等を右側において操作する等、右利きの利用者にとって便利な配置とすることができる（全ての脚３１，３２，３３を立脚させて載置台１０を水平状態とした場合にあっても、縦置きは、右利きの利用者にとって便利な配置となることは勿論である）。
【００６５】
なお、第２の位置固定具４０は、載置台１０の表面側における凹状の空間内に収納可能な寸法に設定されており、図１９に示すように、第１の位置固定具２０とともに、載置台１０の凹状の空間内に収納することができる。
【００６６】
以上説明したように、本発明によれば、スタンド装置１において、載置台１０は、カメラ穴１３を設けることとしたので、携帯端末装置８０のカメラレンズ８１の位置をカメラ穴１３の位置に合わせる等して携帯端末装置８０を載置台１０に載置することにより、携帯端末装置８０を別体としながら、該装置８０と合わせて全体を拡大装置として使用することが可能となる。これにより、持ち運びが容易で、使用場所の制限も少なく、携帯端末装置８０を容易に利用することができるスタンド装置１を提供することができる。
【００６７】
また、携帯端末装置８０の載置台１０における位置を固定する第１の位置固定具２０を有することとしたので、携帯端末装置８０を載置台１０に安定して載置することができる。
【００６８】
更に、第１の位置固定具２０は、棒状とし、載置台１０と第１の位置固定具１０は、磁力により引き合うこととしたので、第１の位置固定具２０により携帯端末装置８０の位置を固定しながら、第１の位置固定具２０を載置台１０の表面側に固定することができ、携帯端末装置８０を載置台１０に更に安定して載置することができる。
【００６９】
更にまた、脚３１，３２，３３は、長さ調整可能とすることとしたので、載置台１０の高さ位置を調整することが可能となる。
【００７０】
また、脚３１，３２，３３は、第１の棒状部材３１ａ，３２ａ，３３ａと第２の棒状部材３１ｂ，３２ｂ，３３ｂを有するとともに、第１の棒状部材３１ａ，３２ａ，３３ａは、中空状とし、第２の棒状部材３１ｂ，３２ｂ，３３ｂは、第１の棒状部材３１ａ，３２ａ，３３ａの中空部に収納され、該中空部から出没可能に構成されることとしたので、第２の棒状部材３１ｂ，３２ｂ，３３ｂの第１の棒状部材３１ａ，３２ａ，３３ａに対する出没量を調整することにより、脚３１，３２，３３の長さを容易に調整することができる。
【００７１】
また更に、脚３１，３２，３３は、載置台１０を支持する支持角度を調整可能とすることとしたので、載置台１０を任意の傾斜角度で傾斜させることが可能となる。
【００７２】
また、脚３１，３２，３３の基端３１´，３２´，３３´を載置台１０の裏面側に軸支し、該軸支された脚３１，３２，３３の基端３１´，３２´，３３´を起点として脚３１，３２，３３を回動させることにより、載置台１０とのなす角度を調整可能とすることとしたので、脚３１，３２，３３の載置台１０に対する支持角度を容易に調整することができる。
【００７３】
更に、脚３１，３２，３３は、載置台１０の裏面側に畳み込み可能とすることとしたので、脚３１，３２，３３を載置台１０にコンパクトに収納することができる。
【００７４】
更にまた、脚３１，３２，３３を軸支する軸体３４ａと軸受け３４ｂを有し、軸体３４ａは脚３１，３２，３３と交差する方向であって載置台１０の辺部１４´，１６´，１７´と平行な方向に延びていることとしたので、脚３１，３２，３３の回動軸を辺部１４´，１６´，１７´と平行な軸とすることができる。
【００７５】
また、第１の脚３１、第２の脚３２は、矩形状をなす載置台１０の４つの辺部１４´，１５´，１６´，１７´に沿って延びる４つの縁部１４ａ´，１５ａ´，１６ａ´，１７ａ´のうちその端部にカメラ穴１３が設けられる隅部１４が位置する２つの縁部１４ａ´，１７ａ´にそれぞれ設けられるとともに、第３の脚３３は、４つの縁部１４ａ´，１５ａ´，１６ａ´，１７ａ´のうち他の２つの縁部１５ａ´，１６ａ´のいずれか一方に設けられることとしたので、脚を３本とする場合にあっても、矩形状の載置台１０をバランスよく安定して支持することができる。
【００７６】
第１の脚３１、第２の脚３２は、カメラ穴１３が設けられる隅部１４との間隔を、この隅部１４に隣り合う他の隅部１５，１７との間隔よりも大きく設定されることとしたので、第１の脚３１および第２の脚３２をカメラ穴１３が設けられる隅部１４から離間させることができ、カメラ穴１３から撮像対象を映し出す際に脚３１，３２が障害となることを少なくすることができる。
【００７７】
携帯端末装置８０の撮像対象の位置を固定する第２の位置固定具４０を有することとしたので、撮像対象の位置を容易に固定することができる。
【００７８】
第２の位置固定具４０は、矩形状の材料を用いて形成されるとともに、カメラ穴１３の位置と対応する位置にＬ字状の欠け部５１を設けることとしたので、撮像対象を欠け部５１により固定することができ、携帯端末装置８０により撮像対象を安定して映し出すことができる。
【００７９】
第２の位置固定具４０は、脚３１，３２，３３の先端を嵌め込む穴部５２，５３，５４を有することとしたので、脚３１，３２，３３の先端の位置が確実に固定され、脚３１，３２，３３により載置台１０を更に安定して支持することができる。また、第２の位置固定具４０が、撮影対象と脚３１，３２，３３のいずれも固定するので部品点数が増えることも防止することができる。
【００８０】
第２の位置固定具４０は、端縁から外側に出没する出没部６０を設け、出没部６０は、先端に突き当て板として機能し上方に延びる壁部６２を有することとしたので、例えば一の脚３１のみを立脚させて他の脚３２，３３を載置台１０の裏面側に畳み込み、一の脚３１の先端を壁部６２に突き当てることにより、載置台１０を横置きの状態で適切な傾斜角度で傾斜させることができる。
【００８１】
第２の位置固定具４０は、載置台１０の表面側における凹状の空間内に収納可能な寸法に設定されることとしたので、第２の位置固定具４０を載置台１０の表面側にコンパクトに収納することができる。
【００８２】
また、載置台１０は、携帯端末装置８０を載置することとしたので、スタンド装置１のコンパクト化を図ることができ、更に一層持ち運びが容易で、使用場所の制限の少ないスタンド装置１を提供することができる。
【００８３】
なお、本発明は上述した実施形態に限定されることなく特許請求の範囲を逸脱しない範囲内において種々の変形実施、応用実施が可能であることは勿論である。
【００８４】
すなわち、例えば、上述した実施形態にあっては、カメラ１３を一の隅部１４に設けることとしているが、複数の隅部に設けることとしてもよい。また、カメラ穴１３の位置は携帯端末装置８０のカメラレンズ８１の位置に対応させることとすればよく、隅部以外の他の位置に設けることとしてもよい。
【００８５】
また、第３の脚３３は、載置台１０の前側の縁部１６ａ´に設けるとともに、隅部１６の近傍に設けることとしているが、左側の縁部１５ａ´に設けるとともに、隅部１６の近傍に設けることとしてもよい。すなわち、第３の脚３３の基端３３´を、カメラ穴１３と対角の位置に設けることとすればよい。
【００８６】
また脚３１，３２，３３は、伸縮可能な構成として長さ調整することとしているが、例えば、屈曲可能な構成として長さ調整することとしてもよい。
【００８７】
更に、上述した実施形態にあっては、脚３１，３２，３３は、第１の棒状部材３１ａ，３２ａ，３３ａおよび第２の棒状部材３１ｂ，３２ｂ，３３ｂにより長さ調整可能とすることとしているが、図２０に示すように、更に所定の方向に沿って延びる第３の棒状部材３１ｃ，３２ｃ，３３ｃを有するとともに、第２の棒状部材３１ｂ,３２ｂ,３３ｂおよび第３の棒状部材３１ｃ，３２ｃ，３３ｃを筒状で中空状とし、第１の棒状部材３１ａ，３２ａ，３３ａは、第２の棒状部材３１ｂ，３２ｂ，３３ｂの中空部に収納され、第２の棒状部材３１ｂ，３２ｂ，３３ｂは、第１の棒状部材３１ａ，３２ａ，３３ａの外面側に案内されつつ第１の棒状部材３１ａ，３２ａ，３３ａの延びる方向に沿って可動可能とし、第２の棒状部材３１ｂ，３２ｂ，３３ｂは、第３の棒状部材３１ｃ，３２ｃ，３３ｃの中空部に収納され、第３の棒状部材３１ｃ，３２ｃ，３３ｃは、第２の棒状部材３１ｂ，３２ｂ，３３ｂの外面側に案内されつつ第２の棒状部材３１ｂ，３２ｂ，３３ｂの延びる方向に沿って可動可能とすることとしてもよい。
【００８８】
なお、図２０および図２１に示すように、第１の棒状部材３１ａ，３２ａ，３３ａ乃至前記第３の棒状部材３１ｃ，３２ｃ，３３ｃは、第１の半円柱状部３１０´，３２０´，３３０´と第２の半円柱状部３１０´´，３２０´´，３３０´´を有し、第１の半円柱状部３１０´，３２０´，３３０´の両端部Ａ´，Ｂ´，Ｃ´と第２の半円柱状部３１０´´，３２０´´，３３０´´の両端部Ａ´´，Ｂ´´，Ｃ´´を半径方向に所定量ずらして所要に連結し形成されることとしてもよい。
【００８９】
すなわち、この場合にあっては、第１の半円柱状部３１０´，３２０´，３３０´の両端部Ａ´，Ｂ´，Ｃ´と第２の半円柱状部３１０´´，３２０´´，３３０´´の両端部Ａ´´，Ｂ´´，Ｃ´´との連結部分が軸方向に延びる段差部として形成される。
【００９０】
つまり、第２の棒状部材３１ｂ，３２ｂ，３３ｂは、第１の棒状部材３１ａ，３２ａ，３３ａに対し円周方向に所定角度回転可能とするとともに、第３の棒状部材３１ｃ，３２ｃ，３３ｃは、第２の棒状部材３１ｂ，３２ｂ，３３ｂに対し所定角度回転可能とする。
【００９１】
そして、第２の棒状部材３１ｂ，３２ｂ，３３ｂを、第１の棒状部材３１ａ，３２ａ，３３ａに対し第１の棒状部材３１ａ，３２ａ，３３ａの延びる方向に沿って所定量可動させつつ円周方向に所定角度回転させたとき、および第３の棒状部材３１ｃ，３２ｃ，３３ｃを、第２の棒状部材３１ｂ，３２ｂ，３３ｂに対し第２の棒状部材３１ｂ，３２ｂ，３３ｂの延びる方向に沿って所定量可動させつつ所定角度回転させたとき、上記の如く第１の半円柱状部３１０´，３２０´，３３０´の両端部Ａ´，Ｂ´，Ｃ´と第２の半円柱状部３１０´´，３２０´´，３３０´´の両端部Ａ´´，Ｂ´´，Ｃ´´を半径方向に所定量ずらして所要に連結したことにより、第２の棒状部材３１ｂ，３２ｂ，３３ｂの内面側と第１の棒状部材３１ａ，３２ａ，３３ａの外面側が相互に圧接されて、第２の棒状部材３１ｂ，３２ｂ，３３ｂが所定の突出位置（可動位置）でかつ所定の回転角度で固定され、および第３の棒状部材３１ｃ，３２ｃ，３３ｃの内面側と第２の棒状部材３１ｂ，３２ｂ，３３ｂの外面側が相互に圧接されて、第３の棒状部材３１ｃ，３２ｃ，３３ｃが所定の突出位置（可動位置）でかつ所定の回転角度で固定される。
【００９２】
これにより、視力弱者であっても指で段差部を認識しながら第２の棒状部材３１ｂ，３２ｂ，３３ｂおよび第３の棒状部材３１ｃ，３２ｃ，３３ｃを所定量可動させつつ円周方向に回転させることにより位置を固定することができる。
【００９３】
更に、上述した実施形態にあっては、第１の棒状部材３１ａ，３２ａ，３３ａの基端３１´，３２´，３３´に軸体３４ａを設け、載置台１０に軸受け３４ｂを設けることとしているが、第１の棒状部材３１ａ，３２ａ，３３ａの基端３１´，３２´，３３´に軸受け３４ｂを設け、載置台１０に軸体３４ａを設けることとしてもよい。
【００９４】
なお、図２２に示すように、載置台１０の裏面側に突出した形状の部材３４´を設けるとともに、この部材３４´に軸体３４ａ´および軸受け３４ｂ´を設け、棒状部材３１ａ，３１ｂ，３１ｃ，３２ａ，３２ｂ，３２ｃ，３３ａ，３３ｂ，３３ｃを軸体３４ａ´を介して回動可能とすることとしてもよい。
【００９５】
更に、図２３乃至図２５に示すように、第２の位置固定具４０は、第２の位置固定具４０の裏面側に第２の位置固定具４０を移動可能とする第１の移動具４１乃至第３の移動具４３を有することとしてもよい。
【００９６】
すなわち、第１の移動具４１乃至第３の移動具４３は、キャスターとすることができ、キャスターは、床面に接触して回転可能な球状のボール４１ａ，４２ａ，４３ａと、凹状をなし凹状の穴４１ｂ´，４２ｂ´，４３ｂ´内にボール４１ａ，４２ａ，４３ａをベアリングを介して回転可能に保持するホルダー４１ｂ，４２ｂ，４３ｂと、を有するボールキャスターとすることができる。このように移動具４１，４２，４３をボールキャスターすることで、第２の位置固定具４０を３６０°全方向に移動可能とすることができる。
【００９７】
ここで、移動具４１，４２，４３は、水平方向において第２の位置固定具４０に設けられた穴部５２，５３，５４の位置と対応する位置より詳しくは前記穴部５２，５３，５４の位置を含む位置とし、穴部５２，５３，５４の底部５２´´，５３´´，５４´´の裏面側に設けられることとすることができる。これにより、第２の位置固定具４０をバランスよく移動させることができる（図２４から明らかなように本変形例における第２の位置固定部４０の穴部５２，５３，５４は、第２の位置固定具４０の表面側に開口する凹状の形状とし底部５２´´，５３´´，５４´´を有する非貫通の構造としている）。
【００９８】
なお、第２の位置固定具４０は、図２６および図２７に示すように、移動具４１，４２，４３を着脱可能に設けることとしてもよい。
【００９９】
すなわち、第２の位置固定具４０の穴部５２，５３，５４の底部５２´´，５３´´，５４´´の裏面側および凹状のホルダー４１ｂ，４２ｂ，４３ｂの表面側に相互に着脱可能な面ファスナー４１ｂ´´，４２ｂ´´，４３ｂ´´，５２ａ´´，５３ａ´´，５４ａ´´を設けることとしてもよい。
【０１００】
また、図２８に示すように、第２の位置固定具４０は、裏面側に載置台１０の表面側に設けられた磁石と引き合う磁石４４，４５を有することとして、載置台１０の表面側における凹状の空間内に収納し易くすることとしてもよい。
【０１０１】
更に、上述した実施形態の第１の位置固定具２０は、断面形状をＬ字状とすることとしているが、図２９に示す第２の位置固定具２０´のように、平面で見た全体をＬ字状に形成しつつ、断面形状をＴ字状とし、更に垂直部２２ｂ，２３ｂのいずれにも長孔２２ｂ´´，２３ｂ´´を設けることとしてもよい。なお、長孔２２ｂ´´，２３ｂ´´の上端には突条２４´，２５´を設けて長孔２２ｂ´´，２３ｂ´´の位置を視力弱者が指で認識可能とすることとしてもよい。
【０１０２】
また、更に、図３０および図３１に示すように、水平方向に板状に延びる第１の延出部１２１と第１の延出部１２１と接続して連続し第１の延出部１２１と交差する方向より詳しくは直交する方向更に詳しくは上下方向に延びる第２の延出部１２２とを備えるＬ字状の器具１２０を有し、器具１２０を第２の位置固定具４０の表面側に置いた状態で、カメラ機能を有する装置８０の下端を第２の位置固定具４０の表面側で支持するとともに、カメラ機能を有する装置８０の裏面側をＬ字状の器具１２０の第２の延出部１２２の上端１２２´で支持し、カメラ機能を有する装置８０を傾斜させるように支持することとしてもよい。このように、Ｌ字状の器具１２０を有することで、載置台１０を介さずともカメラ機能を有する装置８０を簡易に支持することができる。
【０１０３】
なお、Ｌ字状の器具１２０は、第２の位置固定具４０に着脱可能に設けられることとすることができる。
すなわち、Ｌ字状の器具１２０の裏面側および第２の位置固定具４０の表面側に相互に着脱可能な面ファスナー１２３，１２４を設ける。
【０１０４】
なお、図３２に示すように、Ｌ字状の器具１２０の裏面側および第２の位置固定具４０の表面側に設けられる面ファスナー１２３，１２４のうち少なくともいずれか一方は、前後方向に所定の長さを有する長尺な形状とし、Ｌ字状の器具１２０の第２の位置固定具４０に対する前後方向の位置を変更可能とすることとしてもよい（図３２では、第２の位置固定具４０の表面側に設けられる面ファスナー１２４を長尺な形状としている）。
【０１０５】
また、図３３に示すように、Ｌ字状の器具１２０の裏面側および第２の位置固定具４０の表面側に設けられる面ファスナー１２３，１２４のうち少なくともいずれか一方は、左右方向に所定の長さを有する長尺な形状とし、Ｌ字状の器具１２０の第２の位置固定具４０に対する左右方向の位置を変更可能とすることとしてもよい（図３３では、第２の位置固定具４０の表面側に設けられる面ファスナー１２４を長尺な形状としている）。
【０１０６】
更にまた、出没部６０は、載置台１０の後部の端縁５５にのみ設けることとしているが、後部の端縁５５および左側の端縁５６のいずれにも設けることとしてもよい。
【０１０７】
[他の実施形態]
本発明の他の実施形態にスタンド装置１００を図３４乃至図３６に示す。
すなわち、他の実施形態に係るスタンド装置１００は、カメラ機能を有する装置８０を載置可能な載置台１０１と、載置台１０１の裏面側に配置され、載置台１０１を支持する台受板１４１と、台受板１４１の下方に配置され、ヒンジ１７２により台受板１４１の後部を支持する傾斜板１７１と、傾斜板１７１の前部に設けられる２本の前足１８１、及び、傾斜板１７１の後部に設けられる２本の後足１８３，１８５と、ヒンジ１７２により接続された台受板１４１と傾斜板１７１とのヒンジ１７２を中心とする回転角度を所定の角度に調整し台受板１４１を所定の傾斜角度に調整する角度調整手段１５１，１５３，１６１と、を有し、載置台１０１は、後部にカメラ穴１１０を有するとともに、傾斜板１７１は、カメラ穴１１０と対応する位置に欠け部１４３，１４４を有し、２本の後足１８３，１８５は、長さを前足１８１の長さよりも長く設定されることにより、傾斜板１７１を後部が高くなるように傾斜させている。
【０１０８】
台受板１４１は、載置台１０１を台受板１４１の表面側に沿って回転可能に支持している。また、台受板１４１は、載置台１０１の回転を阻止する係止突起１４７を有している。
【０１０９】
ここで、後足１８３，１８５は、２本とされ、１本を傾斜板１７１の左右の中央よりも一方に寄った位置とし、他の１本は、傾斜板１７１の左右の中央よりも他方に寄った位置であって傾斜板１７１の側端部の近傍の位置としている。また、前足１８１及び後足１８３，１８５は、下端部にボールキャスター２１１を有している。
【０１１０】
載置台１０１は、左右方向に移動可能な横ストッパー１３１と、上下方向に移動可能な縦ストッパー１３５とを有して載置台１０１に載置したカメラ機能を有する装置８０の位置を固定している。
【０１１１】
横ストッパー１３１は、載置台１０１から上方に突出する横係止つまみ１３２を有し、縦ストッパー１３５は載置台１０１から上方に突出する縦係止つまみ１３６を有している。更に載置台１０１は、指穴１１２を有している。
【０１１２】
このような構成により、本発明の他の実施形態においても、持ち運びが容易で、使用場所の制限も少なく、カメラ機能を有する装置８０を容易に利用することができるスタンド装置１００を提供することができる。
【産業上の利用可能性】
【０１１３】
本発明は、持ち運びが容易で、使用場所の制限も少なく、カメラ機能を有する装置を容易に利用することができるスタンド装置を提供することができ、視力が低下した高齢者やその他の視力弱者が従来の高価な拡大装置に代えて本発明のスタンド装置を使用することにより、社会への貢献を通じて産業の発達に寄与することができる。 
【符号の説明】
【０１１４】
Ａ´，Ｂ´，Ｃ´：端部
Ａ´´，Ｂ´´，Ｃ´´：端部
１：スタンド装置
１０：載置台
１１：平坦面
１２：突出部
１３：カメラ穴
１４，１５，１６，１７：隅部
１４´，１５´，１６´，１７´：辺部
１４ａ´，１５ａ´，１６ａ´，１７ａ´：縁部
２０：第２の位置固定具
２０´：第２の位置固定具
２１：支持部
２２：第２１の延在部
２２ａ：水平部
２２ｂ：垂直部
２２ｂ´：長孔
２３：第２の延在部
２３´：長孔
２３ａ：水平部
２３ｂ：垂直部
２３ｂ´：長孔
２４：第１の棒材
２４´：突条
２５：第２の棒材
２５´：突条
２６：第３の棒材
２７：間隙部
３０：支持機構
３１：第１の脚
３１ａ：第１の棒状部材
３１ｂ：第２の棒状部材
３１ｃ：第３の棒状部材
３１´：基端
３１ａ´：弾性材
３１ａ´´：穴部
３１ｂ´：弾性材
３２：第２の脚
３２ａ：第１の棒状部材
３２ｂ：第２の棒状部材
３２ｃ：第３の棒状部材
３２´：基端
３２ａ´：弾性材
３２ａ´´：穴部
３２ｂ´：弾性材
３３：第３の脚
３３ａ：第１の棒状部材
３３ｂ：第２の棒状部材
３３ｃ：第３の棒状部材
３３´：基端
３３ａ´：弾性材
３３ａ´´：穴部
３３ｂ´：弾性材
３４：ヒンジ（トルクヒンジ）
３４´：突出した形状の部材
３４ａ：軸体
３４ａ´：軸体
３４ｂ：軸受け
３４ｂ´：軸受け
４０：第２の位置固定具
４１：第１の移動具
４１ａ：ボール
４１ｂ：ホルダー
４１ｂ´：穴
４１ｂ´´：面ファスナー
４２：第２の移動具
４２ａ：ボール
４２ｂ：ホルダー
４２ｂ´：穴
４２ｂ´´：面ファスナー
４３：第３の移動具
４３ａ：ボール
４３ｂ：ホルダー
４３ｂ´：穴
４３ｂ´´：面ファスナー
４４：磁石
４５：磁石
５０：固定部
５１：欠け部
５２，５３，５４：穴部
５２´´，５３´´，５４´´：底部
５２ａ´´，５３ａ´´，５４ａ´´：面ファスナー
５５：後部の端縁
５６：左側の端縁
５７：凹溝
５８：閉塞板
５８´：前端部
５９ａ：前側の辺部
５９ａ´：突出体
５９ｂ：右側の辺部
５９ｂ´：突出体
６０：出没部
６１：スライド移動部
６１ａ：水平部
６１ａ´：下面
６１ｂ：垂直部
６２：壁部
６２ａ：水平部
６２ａ´：上面
６２ｂ：垂直部
８０：カメラ機能を有する装置（携帯端末装置）
８１：カメラレンズ
８２：表示部
８３：コード
９０：撮像対象
１００：スタンド装置
１０１：設置台
１１０：カメラ穴
１１２：穴
１１９：係止手段
１２０：Ｌ字状の器具
１２１：第１の延出部
１２２：第２の延出部
１２２´：上端
１２３，１２４：面ファスナー
１３１：横ストッパー
１３５：縦ストッパー
１４１：台受板
１４３：欠け部
１４９：係止受手段
１５１：スライダー受け部
１５３：角度調整つまみ
１６１：リンクバー
１７１：傾斜板
１７２：ヒンジ
１８１：前足
１８３：後中央足
１８５：右後足
２１１：ボールキャスター
３１０´，３２０´，３３０´：第１の半円柱状部
３１０´´，３２０´´，３３０´´：第２の半円柱状部
【図１】
2019142756.tif 000003
【図２】
2019142756.tif 000004
【図３】
2019142756.tif 000005
【図４】
2019142756.tif 000006
【図５】
2019142756.tif 000007
【図６】
2019142756.tif 000008
【図７】
2019142756.tif 000009
【図８】
2019142756.tif 000010
【図９】
2019142756.tif 000011
【図１０】
2019142756.tif 000012
【図１１】
2019142756.tif 000013
【図１２】
2019142756.tif 000014
【図１３】
2019142756.tif 000015
【図１４】
2019142756.tif 000016
【図１５】
2019142756.tif 000017
【図１６】
2019142756.tif 000018
【図１７】
2019142756.tif 000019
【図１８】
2019142756.tif 000020
【図１９】
2019142756.tif 000021
【図２０】
2019142756.tif 000022
【図２１】
2019142756.tif 000023
【図２２】
2019142756.tif 000024
【図２３】
2019142756.tif 000025
【図２４】
2019142756.tif 000026
【図２５】
2019142756.tif 000027
【図２６】
2019142756.tif 000028
【図２７】
2019142756.tif 000029
【図２８】
2019142756.tif 000030
【図２９】
2019142756.tif 000031
【図３０】
2019142756.tif 000032
【図３１】
2019142756.tif 000033
【図３２】
2019142756.tif 000034
【図３３】
2019142756.tif 000035
【図３４】
2019142756.tif 000036
【図３５】
2019142756.tif 000037
【図３６】
2019142756.tif 000038
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
カメラ機能を有する装置を載置する載置台と、前記載置台を支持する支持機構を有するスタンド装置であって、
前記載置台は、カメラ穴を設け、
前記カメラ穴は、前記載置台の隅部に設けられ、
前記支持機構は、前記載置台の裏面側に設けられ、前記載置台を支持する脚を有し、
前記脚は、第１、第２、および第３の脚を有し、前記第１の脚、前記第２の脚は、矩形状をなす載置台の４つの辺部に沿って延びる４つの縁部のうち前記カメラ穴が設けられる前記隅部が位置する２つの縁部にそれぞれ設けられるとともに、前記第３の脚は、前記４つの縁部のうち他の２つの縁部のいずれか一方に設けられることを特徴とするスタンド装置。
【請求項２】
前記装置の前記載置台における位置を固定する第１の位置固定具を有することを特徴とする請求項１に記載のスタンド装置。
【請求項３】
前記脚は、長さ調整可能とすることを特徴とする請求項１に記載のスタンド装置。
【請求項４】
前記脚は、所定の方向に延びる第１の棒状部材と第２の棒状部材を有するとともに、前記第２の棒状部材は、前記第１の棒状部材に対し前記第１の棒状部材の延びる方向に沿って可動可能とすることを特徴とする請求項１に記載のスタンド装置。
【請求項５】
前記脚は、前記載置台を支持する支持角度を調整可能とすることを特徴とする請求項１に記載のスタンド装置。
【請求項６】
前記脚の基端を前記載置台の裏面側にヒンジを介して取り付けることを特徴とする請求項１に記載のスタンド装置。
【請求項７】
前記ヒンジは、トルクヒンジとすることを特徴とする請求項６に記載のスタンド装置。
【請求項８】
前記脚は、前記載置台の裏面側に畳み込み可能とすることを特徴とする請求項１に記載のスタンド装置。
【請求項９】
前記第１の脚、前記第２の脚は、前記カメラ穴が設けられる隅部との間隔を、前記隅部に隣り合う他の隅部との間隔よりも大きく設定されることを特徴とする請求項１に記載のスタンド装置。
【請求項１０】
前記装置の撮像対象の位置を固定する第２の位置固定具を有することを特徴とする請求項１乃至請求項９のうちいずれか一項に記載のスタンド装置。
【請求項１１】
前記第２の位置固定具は、前記カメラ穴の位置と対応する位置に欠け部を有することを特徴とする請求項１０に記載のスタンド装置。
【請求項１２】
前記第２の位置固定具は、前記脚の先端を嵌め込む穴を有することを特徴とする請求項１０に記載のスタンド装置。
【請求項１３】
前記第２の位置固定具は、端縁から外側に出没する出没部を設け、前記出没部は、先端に上方に延びる壁部を有することを特徴とする請求項１０に記載のスタンド装置。
【請求項１４】
前記出没部は、スライド移動可能なスライド移動部を有し、前記壁部を、前記スライド移動部の先端に設けることを特徴とする請求項１３に記載のスタンド装置。
【請求項１５】
前記第２の位置固定具は、前記第２の位置固定具の裏面側に前記第２の位置固定具を移動可能とする移動具を有することを特徴とする請求項１０に記載のスタンド装置。
【請求項１６】
前記移動具は、床面に接触して回転可能な球状のボールと、凹状をなし前記凹状の穴内に前記ボールを回転可能に保持するホルダーと、を有するボールキャスターとすることを特徴とする請求項１５に記載のスタンド装置。
【請求項１７】
前記移動具は、前記第２の位置固定具に設けられた脚の先端を嵌め込む穴の位置と対応する水平方向の位置とし、前記第２の位置固定具に設けられた脚の先端を嵌め込む穴の底部の裏面側に設けられることを特徴とする請求項１５に記載のスタンド装置。
【請求項１８】
前記第２の位置固定具は、前記載置台の表面側における凹状の空間内に収納可能な寸法に設定されることを特徴とする請求項１０に記載のスタンド装置。
【請求項１９】
前記カメラ機能を有する装置は、カメラ機能を有する携帯端末装置とすることを特徴とする請求項１に記載のスタンド装置。
【請求項２０】
前記携帯端末装置は、携帯電話機、タブレット端末、またはスマートフォンとするとともに、裏面側にカメラレンズを有し、表面側に撮像対象を映し出す表示部を有することを特徴とする請求項１９に記載のスタンド装置。
【国際調査報告】
2019142756.tif 000039
2019142756.tif 000040
2019142756.tif 000041
2019142756.tif 000042